(57)【要約】【課題】  運転者がエンターテイメント情報を視聴していても、万一の場合の安全性の向上を図ることができる視聴伝達装置を提供する。【解決手段】  本発明に係る視聴伝達装置１は、車両に設置されたＨＵＤ５で運転者に表示される表示情報が、車両の運転に関係しないエンターテインメント情報であるか否かを判断する制御部９と、その表示情報がエンターテイメント情報であると制御部９が判断したときに、運転者がエンターテイメント情報を視聴中であることを上記車両の周囲の他の車両に伝達する伝達部１０とを備える。【選択図】  図２
2020045051.tif 000002
【特許請求の範囲】
【請求項１】
車両に設置された表示装置で運転者に表示される表示情報が、前記車両の運転に関係しないエンターテインメント情報であるか否かを判断する判断手段と、
前記表示情報が前記エンターテイメント情報であると前記判断手段が判断したときに、前記運転者がエンターテイメント情報を視聴中であることを前記車両の周囲の他の車両に伝達する伝達手段とを備えることを特徴とする視聴伝達装置。
【請求項２】
前記判断手段は、前記表示情報のソースに基づいて、前記表示情報が前記エンターテインメント情報であるか否かを判断することを特徴とする請求項１に記載の視聴伝達装置。
【請求項３】
前記伝達手段は、前記他の車両との通信により、前記運転者がエンターテイメント情報を視聴中であることを前記他の車両に伝達することを特徴とする請求項１又は請求項２に記載の視聴伝達装置。
【請求項４】
前記伝達手段は、前記車両の窓又は車体への表示により、前記運転者がエンターテイメント情報を視聴中であることを前記他の車両に伝達することを特徴とする請求項１又は請求項２に記載の視聴伝達装置。
【請求項５】
前記伝達手段は、前記車両の周囲の路面への投影により、前記運転者がエンターテイメント情報を視聴中であることを前記他の車両に伝達することを特徴とする請求項１又は請求項２に記載の視聴伝達装置。
【発明の詳細な説明】
【技術分野】
【０００１】
本発明は、車両の運転者が娯楽映像等のエンターテイメント情報を視聴中であることを他の車両に伝達する視聴伝達装置に関する。
【背景技術】
【０００２】
車両においては、一般に、インストルメントパネルに設置されたディスプレイ装置や、車両のフロントウインドシールドやコンバイナ等の反射透光部材を透過する実景（車両前方の風景）に重ねてその反射透光部材に反射された表示光により虚像を生成して表示するヘッドアップディスプレイ装置等の表示装置により、車両に関する各種の情報やナビゲーションシステムの経路情報、カメラで撮像した車両後方の画像情報等が運転者に視覚的に提供される。
【０００３】
また、特許文献１には、運転者にとって必ずしも必要な情報ではないエンタメ情報（エンタテイメント系車載機に対する操作時にその操作内容を示すために必要な情報）が表示装置（車載ディスプレイ）に表示されることが開示されている。同特許文献に記載の発明では、危険度の高い状態で運転をしている運転者の注意が殺がれないように、エンタメ情報の表示／非表示が状況に応じて制御される。
【先行技術文献】
【特許文献】
【０００４】
【特許文献１】特開２０１２−８１９０７号公報
【発明の概要】
【発明が解決しようとする課題】
【０００５】
ところで、自動運転技術の発達により、運転者が常時運転に集中する必要性がなくなると、運転者も表示装置に表示される娯楽映像や電子書籍等のコンテンツ（以下、このように車両の運転に関係しない情報を「エンターテインメント情報」という。この「エンターテインメント情報」は、特許文献１に記載の「エンタメ情報」のように、車載機の操作内容を示すために必要な情報に限られない。）を運転中に楽しむことが可能となってくる。
【０００６】
一方、自動運転中ではあっても、運転者がエンターテイメント情報を視聴している場合には、視聴していない場合に比べて運転に対する集中力が低下し、万一の場合の対応力（危機回避能力、事故回避能力）が変わることも考えられるから、その状況を初心運転者標識（若葉マーク）や高齢運転者標識のように周囲の他の車両に知らせておいた方が、他の車両も注意を払って安全性の向上につながる。
【０００７】
本発明は、上記の事情に鑑みてなされたもので、運転者がエンターテイメント情報を視聴していても、万一の場合の安全性の向上を図ることができる視聴伝達装置を提供することを課題としている。
【課題を解決するための手段】
【０００８】
上記課題を解決するために、本発明に係る視聴伝達装置は、車両に設置された表示装置で運転者に表示される表示情報が、前記車両の運転に関係しないエンターテインメント情報であるか否かを判断する判断手段と、前記表示情報が前記エンターテイメント情報であると前記判断手段が判断したときに、前記運転者がエンターテイメント情報を視聴中であることを前記車両の周囲の他の車両に伝達する伝達手段とを備えることを特徴とする。
【０００９】
前記判断手段は、前記表示情報のソースに基づいて、前記表示情報が前記エンターテインメント情報であるか否かを判断してもよい。
【００１０】
また、前記伝達手段は、前記他の車両との通信により、前記車両の窓若しくは車体への表示により、又は、前記車両の周囲の路面への投影により、前記運転者がエンターテイメント情報を視聴中であることを前記他の車両に伝達してもよい。
【発明の効果】
【００１１】
本発明に係る視聴伝達装置によれば、運転者がエンターテイメント情報を視聴していても、万一の場合の安全性の向上を図ることができる。
【図面の簡単な説明】
【００１２】
【図１】発明を実施するための形態に係る視認伝達装置が設けられた車両を示す説明図である。
【図２】図１の視認伝達装置の構成を示す説明図である。
【図３】図１の視認伝達装置の制御部による制御を示す流れ図である。
【図４】図１の車両においてエンターテイメント情報を視聴中であることが他の車両のヘッドアップディスプレイ装置に表示された例を示す説明図である。
【図５】図１の車両においてエンターテイメント情報を視聴中であることが他の車両のディスプレイ装置に表示された例を示す説明図である。
【図６】図１の視認伝達装置の伝達部の例を示す説明図である。
【図７】図６の伝達部によりエンターテイメント情報を視聴中であることがリヤウインドシールドに表示された例を示す説明図である。
【図８】図６の伝達部によりエンターテイメント情報を視聴中であることが路面に表示された例を示す説明図である。
【発明を実施するための形態】
【００１３】
本発明を実施するための形態について、図面に基づいて説明する。
【００１４】
図１に示すように、本実施の形態に係る視認伝達装置１は、車両２に設けられている。車両２には、フロントウインドシールド３の下方に位置するダッシュボード４の内部に、ヘッドアップディスプレイ装置（ＨＵＤ）５が設けられ、ＨＵＤ５は、フロントウインドシールド３の一部に表示光Ｌを投影して、フロントウインドシールド３に反射された表示光Ｌにより虚像を生成し、車両２の運転者Ｄにフロントウインドシールド３を透過する実景に重ねてその虚像を視認させる。視認伝達装置１は、ＨＵＤ５によりエンターテイメント情報が表示され、それを車両２の運転者Ｄが視聴中である場合、そのことを他の車両に周知させる。
【００１５】
ＨＵＤ５は、図２に示すように、透光部６ａが形成されたケース６の内部に設けられた表示部７及び反射鏡８と、視認伝達装置１と兼用する制御部９とにより概略構成されている。
【００１６】
制御部９には、ＨＵＤ５により表示される表示情報についての画像信号が入力される。表示情報としては、車両２に関する各種の情報（速度、残燃料、シフトポジション、運転モード、警告等に関する情報）、ナビゲーションシステムの経路情報、カメラその他のセンサにより又は車車間通信若しくは路車間通信により取得した車両２の周囲に関する情報等の車両２の運転に関係する情報、及び、放送局からの電波受信によるテレビ映像、クラウドからのダウンロード映像、ＤＶＤ等の記録媒体に記録された映像や電子書籍等の車両２の運転に関係しないエンターテインメント情報がある。制御部９に入力された画像信号は、表示部７に出力される。
【００１７】
表示部７は、ＤＭＤやＬＣｏＳ等の反射型表示デバイスを用いたプロジェクタからなる投影部７ａと、投影部７ａからの投影光を受光し、反射鏡８に向けて出射するスクリーン７ｂとを備え、制御部９からの画像信号が投影部７ａに入力されると、表示情報を含む表示光Ｌをスクリーン７ｂから出射する。
【００１８】
表示部７からの表示光Ｌは、凹状の反射鏡８に反射され、透光部６ａを透過してフロントウインドシールド３に投影される。フロントウインドシールド３に投影された表示光Ｌは、運転者Ｄの側に反射されて虚像を生成し、運転者Ｄに表示情報を表示する。
【００１９】
なお、表示部７の投影部７ａは、ＬＥＤ照明とＴＦＴ液晶との組み合わせ等により構成してもよく、反射鏡８は、図示を略す駆動機構により回動駆動されることによって、表示光Ｌのフロントウインドシールド３における投影位置を変更可能としてもよい。
【００２０】
視認伝達装置１は、ＨＵＤ５と兼用する制御部９と、伝達部（伝達手段）１０とを備え、伝達部１０は、例えば、車両２の周囲の他の車両との通信に供する車車間通信装置からなる。
【００２１】
制御部９は、図３に示すように、表示部７に画像信号を出力してＨＵＤ５に表示情報を表示させるとともに（ステップ１（図３において「Ｓ．１」と記載。以下同様。）、その表示情報がエンターテインメント情報であるか否かを判断する（ステップ２）。この判断は、例えば、表示情報のソース（情報源）に基づいて行われ、表示情報のソースが放送局からの地上波や衛星放送の電波である場合には、表示情報がテレビ映像であるとして、表示情報のソースがＤＶＤ等の記録媒体である場合には、表示情報がその記録媒体に記録された映画等の映像であるとして、表示情報のソースがインターネットで、インターネットからダウンロードされたファイルのファイル形式が動画ファイルのものである場合には、表示情報がクラウドからダウンロードされた映画等の映像であるとして、制御部９は表示情報がエンターテインメント情報であると判断する。あるいは、制御部９は、表示情報に含まれるタグを識別して、表示情報がエンターテインメント情報であるか否かを判断してもよい。
【００２２】
制御部９は、表示情報がエンターテインメント情報であると判断すると、伝達部１０を制御して運転者Ｄがエンターテイメント情報を視聴中であることを周囲の他の車両に伝達する。具体的には、車両２の後方を走行中の他の車両のＨＵＤに対し、図４に示すように、実景中の車両２に重ねて「テレビ利用中」等のメッセージ１１を表示させてもよく、車両２の側方を並走中の他の車両のディスプレイ装置に対し、図５に示すように、俯瞰画像として車両２の像１２と他の車両の像１３とを表示させ、車両２の像に「テレビ利用中」等のメッセージ１４を付してもよく、「ナンバー○○○○の車両はテレビ利用中です。ご注意ください。」等の音声メッセージを他の車両に送信し、他の車両の車室内のスピーカーから流してもよい。
【００２３】
伝達部１０は、車車間通信装置とともに、又は、車車間通信装置に代えて、図６に示す投影装置１５及び／又は投影装置１６により構成されてもよい。投影装置１５は、車両２のリヤウインドシールド１７に投影光を投影し、図７に示すように、リヤウインドシールド１７をスクリーンとして、後方を走行する他の車両に対して「テレビ利用中」等のメッセージ１８を表示する。投影装置１６は、車両２の後方の路面Ｒに投影光を投影し、図８に示すように、後方を走行する他の車両に対して「テレビ利用中」等のメッセージ１９を路面Ｒに表示する。
【００２４】
本実施の形態に係る視聴伝達装置１は、車両２に設置されたＨＵＤ５で運転者Ｄに表示される表示情報が、車両２の運転に関係しないエンターテインメント情報であるか否かを判断する判断手段としての制御部９と、その表示情報がエンターテイメント情報であると制御部９が判断したときに、運転者Ｄがエンターテイメント情報を視聴中であることを車両２の周囲の他の車両に伝達する伝達部１０とを備えるので、車両２の周囲の他の車両の運転者は、車両２の運転者Ｄがエンターテイメント情報を視聴中であることを知り、それに配慮した運転（例えば、車両２と距離をとった運転）を行うことになる。これにより、車両２の運転者Ｄの運転に対する集中力の低下により、万一、車両２が不自然な挙動をしたような場合でも、他の車両との衝突等が生じ難く、安全性の向上を図ることができる。
【００２５】
また、制御部９は、表示情報のソースに基づいて、表示情報がエンターテインメント情報であるか否かを判断するので、エンターテインメント情報であるか否かを高精度に（誤り少なく）判断することができる。
【００２６】
以上、本発明を実施するための形態について例示したが、本発明の実施形態は上述したものに限られず、発明の趣旨を逸脱しない範囲で適宜変更等してもよい。
【００２７】
例えば、上記実施の形態では、ＨＵＤ５の反射透光部材としてフロントウインドシールド３が用いられているが、コンバイナが用いられてもよく、表示装置がＨＵＤではなく、インストルメントパネルに設けられるディスプレイ装置等であってもよい。
【００２８】
また、伝達部１０は、車両２の運転者Ｄがエンターテイメント情報を視聴中であることを他の車両に伝達することができれば、どのような態様であってもよく、例えば車両２の窓ではなく車体にその旨を表示しても、他の車両の運転者のウェアラブルグラスにその旨を表示させてもよい。
【００２９】
さらに、制御部９は、表示情報がエンターテインメント情報であるか否かについて、表示情報のタイトル等を参照して判断してもよい。
【符号の説明】
【００３０】
１    視聴伝達装置
２    車両
５    ヘッドアップディスプレイ装置（表示装置）
９    制御部（判断手段）
１０  伝達部（伝達手段）
１７  リヤウインドシールド（窓）
Ｒ    路面
【図１】
2020045051.tif 000003
【図２】
2020045051.tif 000004
【図３】
2020045051.tif 000005
【図４】
2020045051.tif 000006
【図５】
2020045051.tif 000007
【図６】
2020045051.tif 000008
【図７】
2020045051.tif 000009
【図８】
2020045051.tif 000010